(57)【要約】【課題】本件は、光学式タッチセンサを有する画像表示パネルを備えた電子機器に関し、フロントカバーの強度不足を解消し、製品の品位を高める。【解決手段】フロントカバー３が、画像表示パネル２の上縁に沿って延在する部分に、画像表示パネル前面との間に隙き間３０２を空けて画像表示パネルの前面上縁を覆って左右に広がる覆い板３０１と、覆い板背面側において画像表示パネルの上端面のさらに上に位置し左右に延びるアーム部３２２とを有し、アーム部の、背面側を向いた面に沿って広がる第１の板部３１１と、第１の板部から折れ曲がり、アーム部の、画像表示パネル上端面側を向いた面に沿って広がる第２の板部３１２と、第２の板部から折れ曲がり、覆い板の、画像表示パネル前面側を向いた面に沿って広がる第３の板部３１３とを有する補強板３１０が設けられている。【選択図】        図９８
2011081629.tif 000002
【特許請求の範囲】
【請求項１】
前面と背面を有し該前面に画像を表示する画像表示画面を有する矩形の画像表示パネルと、
前記画像表示パネルの前面周縁を一周に渡って取り巻き該画像表示パネル前面を該周縁を除き露出させて該画像表示パネルを支持する、該画像表示パネルの周縁から食み出した寸法を有するフロントカバーと、
前記画像表示パネル背面側に広がるリアカバーとを有し、
前記画像表示パネルが、
前記画像表示パネルの、矩形の第１辺の両端に、光の投受光により該画像表示パネル前面への物体の接触又は近接位置を計測する光学式タッチセンサの投受光部を有するとともに、
前記画像表示パネルの前記第１辺を除く各辺のそれぞれに沿って延在する各部分に、該画像表示パネルに対し該画像表示パネル前面内側を向いて立設し、前記投受光部から投光された光を反射する反射面とを有し、
前記フロントカバーが、前記画像表示パネルの前記第１辺に沿って延在する部分に、前記画像表示パネル前面との間に隙き間を空けて該画像表示パネル前面の前記第１辺に沿う領域を覆って該第１辺の延びる方向に広がる覆い板と、該覆い板背面側において該画像表示パネル前面とで前記第１辺を共有する第１端面に対面し該第１辺に沿って延在するアーム部とを有し、
前記アーム部の、背面側を向いた面に沿って広がる第１の板部と、該第１の板部から折れ曲がり、該アーム部の、前記画像表示パネルの前記第１端面側を向いた面に沿って広がる第２の板部と、該第２の板部から折れ曲がり、前記覆い板の、前記画像表示パネル前面側を向いた面に沿って広がる第３の板部とを有する補強板が設けられていることを特徴とする電子機器。
【請求項２】
前記フロントカバーが、前記覆い板の前記画像表示パネル前面を向いた面の、前記第１辺の延びる方向の中央部分に、該画像表示パネル前面の前記第１辺に沿う領域に向かって立設したリブを有し、
前記補強板が、前記リブを貫通させる穴を有することを特徴とする請求項１記載の電子機器。
【請求項３】
前記アーム部が、前記第１辺が延びる方向複数箇所に、背面側に突出した位置決め用の複数のボスを有し、
前記補強板が、前記複数のボスがそれぞれ挿入される位置決め用の複数の穴であって、前記複数のボスのいずれかが密に挿入される穴と前記複数のボスのうちの他のいずれかが遊挿される穴とを有することを特徴とする請求項１又は２記載の電子機器。
【請求項４】
前記画像表示パネル背面側に、前記アーム部に固定された支持部材と、前記支持部材に支持された電子部品とを有し、
前記アーム部が背面側に突出した位置決め用のボスを有し、
前記補強板が、前記ボスが挿入される位置決め用の穴を有し、
前記支持部材が、前記補強板の前記穴を貫通した前記ボスが挿入される位置決め用の穴を有することを特徴とする請求項１から３のうちいずれか１項記載の電子機器。
【発明の詳細な説明】
【技術分野】
【０００１】
本件は、光学式タッチセンサを有する画像表示パネルを備えた電子機器に関する。
【背景技術】
【０００２】
従来より画像表示画面上に重ねて使用されるタッチパネルが知られている。このタッチパネルは、指などで触れることにより、画像表示画面上の接触位置が検出される。その画像表示画面上にボタン等を表示させておいて、接触位置を検出することによりその指で触れたユーザの指示を認識することができる。
【０００３】
ここで、このタッチパネルには、従来は静電式センサや圧力式センサなどが用いられてきたが、近年では、コスト面や設置の容易さなどから光学式センサを採用したタッチパネルが普及してきている。この光学式センサを採用したタッチパネルは、画像表示画面の上縁の左右両端に赤外線投受光ユニットを配置し、その赤外線投受光ユニットから画像表示画面に平行かつ斜め下に向けて扇状に広く開いた光束の赤外線を照射する。そして、画面上の物体で反射してきた赤外線をその赤外線投受光ユニットで受光することにより、画面上の物体の位置を検出する。この光学式のタッチセンサの場合、画像表示画面の左右両縁および下縁には、その画像表示画面に対し立設して延在する、照射されてきた赤外線を反射する反射板が設けられている。これに対し、画像表示画面上縁は、赤外線を不用意に反射しないよう、空間を確保しておくことが求められている。
【０００４】
ここで、上記のような画像表示パネルには、その画像表示パネルの前面周縁を一周して取り巻く枠状のフロントカバーにその周縁が固定され、さらにその画像表示パネルの背面側に広がるリアカバーで背面側が覆われるという構造の電子機器ないし画像表示機器として構成される。画像表示パネルをフロントカバーに取り付けるにあたり、その画像表示パネルの左右の両縁および下縁については、その画像表示パネルを支持することが可能である。ただし、画像表示パネルの上縁については、上記の空間を確保する必要上、フロントカバーと画像表示パネルとの間が離れた状態となる。すなわち、そのフロントカバーの、画像表示パネル上縁に対面した部分は、左右両端のみ固定された梁形状となり、十分な強度が得られず、また外観上も波うちや膨らみが目立つなど、製品としての品位を低下させるおそれがある。通常であれば、リブを設けることなどにより必要な強度を確保することができるが、赤外線投受光ユニットの視野を塞がないように所要の空間を確保する必要があることからこの手法では十分な強度を確保することはできない。またフロントカバーを厚くするなどの手段も考え得るが、これにより十分な強度を得ようとすると装置の重量が大幅に増大し好ましくない。
【０００５】
ここで特許文献１，２には、ディスプレイ前面へのタッチパネルの取付方法が開示されている。しかしながらここで問題としているのは、タッチパネルの取付方法ではなく、タッチパネルを含む画像表示パネルとそれを支える筐体を構成するフロントカバーとの間であって、フロントカバーの強度不足の点である。
【先行技術文献】
【特許文献】
【０００６】
【特許文献１】特開平８−２２１２００号公報
【特許文献２】特開平０１−１８７６２６号公報
【発明の概要】
【発明が解決しようとする課題】
【０００７】
本件開示の電子機器の課題は、上記のフロントカバーの強度不足を解消し、製品の品位を高めることにある。
【課題を解決するための手段】
【０００８】
本件開示の電子機器は、画像表示パネルと、フロントカバーと、リアカバーとを有する。
【０００９】
画像表示パネルは、前面と背面を有し前面に画像を表示する画像表示画面を有する矩形の画像表示パネルである。
【００１０】
また、フロントカバーは、画像表示パネルの前面周縁を一周に渡って取り巻き画像表示パネル前面を画像表示画面を除き露出させて画像表示パネルを支持する部品である。このフロントカバーは、画像表示パネルの周縁から食み出した寸法を有する。
【００１１】
また、リアカバーは、画像表示パネル背面側に広がる部品である。
【００１２】
上記画像表示パネルは、光学式タッチセンサの投受光部を有する。光学式タッチセンサは、光の投受光により画像表示パネル前面への物体の接触又は近接位置を計測するものであり、その投受光部は、画像表示パネル矩形の第１辺（例えば上縁）の両端に設置されている。
【００１３】
また、上記画像表示パネルは、画像表示パネルの上記第１辺を除く各辺（例えば左右両縁および下縁）のそれぞれに沿って延在する各部分に反射面を有する。この反射面は、画像表示パネルに対し画像表示パネル前面内側を向いて立設し、前記投受光部から投光された光を反射する面である。
【００１４】
上記フロントカバーは、覆い板とアーム部とを有する。覆い板は、画像表示パネルの上記第１辺に沿って延在する部分に、その画像表示パネル前面との間に隙き間を空けて画像表示パネルの前面の上記第１辺に沿う領域を覆ってその第１辺の延びる方向（例えば左右方向）に広がる板形状の部分である。また、アーム部は、その覆い板背面側において画像表示パネル前面とで上記第１辺を共有する第１端面に対面しその第１辺に沿って延在する部分である。
【００１５】
さらにこの電子機器には、第１の板部と、第２の板部と、第３の板部とを有する補強板が設けられている。
【００１６】
第１の板部は、上記アーム部の、背面側を向いた面に沿って広がる部分である。また、第２の板部は、第１の板部から折れ曲がり、アーム部の、画像表示パネルの上記第１端面側を向いた面に沿って広がる部分である。さらに第３の板部は、第２の板部から折れ曲がり、上記覆い板の、画像表示パネル前面側を向いた面に沿って広がる部分である。
【発明の効果】
【００１７】
本件開示の電子機器によれば、フロントカバーの強度不足が解消され、製品の品位が高められる。
【図面の簡単な説明】
【００１８】
【図１】本件の第１実施形態の電子機器の前面を斜めから見た外観斜視図である。
【図２】図１に示す電子機器の背面を斜めから見た外観斜視図である。
【図３】図１，図２に斜視図で示す電子機器を各方向から見た図である。
【図４】図１〜図３に示す電子機器を、支持スタンドから取り外し、さらにリアカバーを取り外して背面側から見たときの斜視図である。
【図５】図１〜図３に示す電子機器を、支持スタンドから取り外し、さらにリアカバーを取り外して背面側から見たときの斜視図である。
【図６】図４，図５に示す状態からさらにリアシールド板を取り外した状態を示す分解斜視図である。
【図７】リアシールド板を取り外した内側を背面側から見た斜視図である。
【図８】図６，図７に示す状態からさらに２つのホルダを取り外した状態を示した分解斜視図である。
【図９】２つのホルダを取り外した内側を背面側から見た斜視図である。
【図１０】図８，図９に示す状態からさらに支持部材を取り外した状態を示す分解斜視図である。
【図１１】２つのホルダのうちの一方のホルダの、電子部品が搭載された状態の斜視図である。
【図１２】電子部品を取り外したときのホルダのみを示した斜視図である。
【図１３】ホルダ７の側面の一部を示した拡大斜視図である。
【図１４】もう１つのホルダの斜視図である。
【図１５】もう１つのホルダの図８，図１４にあらわれている側の面（リアカバー側の面）を示した平面図である。
【図１６】図１５に示すホルダの、画像表示パネル側の面を示した平面図である。
【図１７】支持部材の一方の側面を示した斜視図である。
【図１８】２つのホルダが固定された状態の平面図である。
【図１９】変形例を示す、図１８に対応する図である。
【図２０】本実施形態と対比される比較例の、ホルダを取り外した状態を示した分解斜視図である。
【図２１】本件の第２実施形態の電子機器を各方向から見た図である。
【図２２】図３に外形を示す第２実施形態の電子機器を支持スタンドから取り外し、さらにリアカバーを取り外して背面側斜め横から見て示したときの斜視図である。
【図２３】図４に示す状態からさらにリアシールド板を取り外した状態を示した分解斜視図である。
【図２４】図２３に示す状態からさらに２つのホルダを取り外した状態を示した分解斜視図である。
【図２５】図２４に示す状態からさらに支持部材を取り外した状態を示す分解斜視図である。
【図２６】第２実施形態における変形例を示す、第１実施形態における図１９に対応する図である。
【図２７】支持部材９（図８参照）を構成する支持部上に置かれたホルダの、上縁部分を示す斜視図である。
【図２８】図２７に示す部分の分解斜視図である。
【図２９】支持部材９上に置かれたホルダ７の右上隅（図１に示す状態における左上隅）の一部を示す斜視図である。
【図３０】図２９に示すホルダの外側（図１の上方側）から見て示した斜視図である。
【図３１】ホルダが「載置位置」にあるときの、図２９のさらに一部領域を示す拡大斜視図である。
【図３２】ホルダが「支持位置」にあるときの、図３１と同じ領域を示す拡大斜視図である。
【図３３】ホルダの梁に形成されたもう１つの開口部の構造を示した部分斜視図である。
【図３４】ホルダの梁に形成されたもう１つの開口部の構造を示した部分斜視図である。
【図３５】開口部を、ホルダの梁の内面側から見た拡大斜視図である。
【図３６】開口部をリアカバー側から見た平面図である。
【図３７】図３６の矢印Ｘ−Ｘに沿う断面図である。
【図３８】図３６の矢印Ｙ−Ｙに沿う断面図である
【図３９】図３８に示す円Ｒの部分の拡大図である。
【図４０】１つの比較例を示す図である。
【図４１】もう１つの比較例を示す図である。
【図４２】比較例としてのＨＤＤユニット固定構造を示す分解斜視図である。
【図４３】図４２に分解斜視図を示すＨＤＤユニットを組み立てた状態の平面図である。
【図４４】図１〜図３に外形を示す第１実施形態の電子機器におけるホルダの、ＨＤＤ収容部の部分の斜視図である。
【図４５】ホルダと、支持板と、ＨＤＤとを示す分解斜視図である。
【図４６】ホルダのＨＤＤ収容部に、ＨＤＤを取り外した支持板のみを収容させた状態を示す斜視図である。
【図４７】ＨＤＤに支持板を取り付けたＨＤＤユニットをＨＤＤの上面側から見て示した斜視図である。
【図４８】ＨＤＤユニットを、支持板基部側から見て示した斜視図である。
【図４９】ＨＤＤを取り外した支持板をホルダのＨＤＤ収容部の支持位置に収容させた状態を示した平面図である。
【図５０】ＨＤＤ付きの支持板（ＨＤＤユニット）を、ホルダのＨＤＤ収容部の支持位置に収容させた状態の左側面図である。
【図５１】ＨＤＤ付きの支持板（ＨＤＤユニット）を、ホルダのＨＤＤ収容部の支持位置に収容させた状態の平面図である。
【図５２】図４９に示す円Ｒの部分の拡大図である。
【図５３】図５０に示す円Ｒの部分の拡大図である。
【図５４】図５１の矢印Ｘ−Ｘに沿う断面図である。
【図５５】図５４に示す円Ｒの部分の拡大図である。
【図５６】ＨＤＤユニットをＨＤＤ収容部に収容させる手順を示した図である。
【図５７】ＨＤＤユニットをＨＤＤ収容部に収容させる手順を示した図である。
【図５８】ＨＤＤユニットをＨＤＤ収容部に収容させる手順を示した図である。
【図５９】ＨＤＤユニットをＨＤＤ収容部に収容させる手順を示した図である。
【図６０】ＨＤＤユニットをＨＤＤ収容部に収容させる手順を示した図である。
【図６１】ＨＤＤユニットをＨＤＤ収容部に収容させる手順を示した図である。
【図６２】ＨＤＤユニットをＨＤＤ収容部に収容させる手順を示した図である。
【図６３】ＨＤＤ収容部に収容された状態のＨＤＤユニットの平面図である。
【図６４】図６３の矢印Ｙ１−Ｙ１に沿う断面図である。
【図６５】図６３の矢印Ｙ２−Ｙ２に沿う断面図である。
【図６６】図６４の円Ｒの部分の拡大図である。
【図６７】図６５の円Ｒの部分の拡大図である。
【図６８】図２１に外形を示す第２実施形態の電子機器におけるホルダのＨＤＤ収容部の部分と、ＨＤＤに固定される支持板を並べて示した斜視図である。
【図６９】ＨＤＤが取り外された状態の支持板をＨＤＤ収容部に収容させた状態を示す斜視図である。
【図７０】ＨＤＤが取り外された状態の支持板をＨＤＤ収容部に収容させた状態を示す斜視図である。
【図７１】ＨＤＤに支持板を取り付けたＨＤＤユニットをＨＤＤの上面側から見て示した斜視図である。
【図７２】ＨＤＤユニットを支持板基部側から見て示した斜視図である。
【図７３】ＨＤＤを含むＨＤＤユニットがＨＤＤ収容部の載置位置に置かれた状態を示す斜視図である。
【図７４】ＨＤＤユニットを図７３に示す載置位置から支持位置までスライドさせた後の状態を示す斜視図である。
【図７５】ＨＤＤユニットをさらにネジ止めした後の状態の斜視図である。
【図７６】ＨＤＤを取り外した支持板をホルダのＨＤＤ収容部の支持位置に収容させた状態を示した平面図である。
【図７７】ＨＤＤ付きの支持板（ＨＤＤユニット）を、ホルダのＨＤＤ収容部の支持位置に収容させた状態の左側面図である。
【図７８】ＨＤＤ付きの支持板（ＨＤＤユニット）を、ホルダのＨＤＤ収容部の支持位置に収容させた状態の平面図である。
【図７９】図４９に示す円Ｒの部分の拡大図である。
【図８０】図５０に示す円Ｒの部分の拡大図である。
【図８１】図５１の矢印Ｘ−Ｘに沿う断面図である。
【図８２】図５４に示す円Ｒの部分の拡大図である。
【図８３】画像表示パネルの分解斜視図である。
【図８４】画像表示板上に両面粘着テープを貼着した状態を示した斜視図である。
【図８５】さらに保護パネルを置いた状態を示した斜視図である。
【図８６】保護パネル上に光学式のタッチセンサを組み込んだ状態を示す斜視図である。
【図８７】両面粘着テープの構成を示した図である。
【図８８】画像表示パネルの一つの隅の部分を示した模式図である。
【図８９】両面粘着テープのタグを引いて画像表示板と保護パネルを分離している途中の様子を示した図である。
【図９０】各種の両面粘着テープを示した図である。
【図９１】画像表示パネルの前面を示した平面図である。
【図９２】画像表示パネルの前面の左上隅に配置された各赤外線投受光ユニットを示す平面図である。
【図９３】画像表示パネルの前面の右上隅に配置された各赤外線投受光ユニットを示す平面図である。
【図９４】画像表示パネルを支持した状態のフロントカバーをその前面から見て示した図である。
【図９５】図９４の矢印Ｘ−Ｘに沿う断面図である。
【図９６】図９５の円Ｒの部分の拡大図である。
【図９７】図９４の矢印Ｙ−Ｙに沿う断面図である。
【図９８】図９７の円Ｒの部分の拡大図である。
【図９９】補強金具の全体を示した斜視図である。
【図１００】補強金具を取り付けた状態のフロントカバー内面上部を示した平面図である。
【図１０１】図１００に示す状態のフロントカバー内面側を示した斜視図である。
【図１０２】図１００に示す状態のフロントカバー内面上部の一部を示した拡大斜視図である。
【図１０３】さらに支持部材９を固定した状態のフロントカバー内面上部を示す平面図である。
【図１０４】さらに支持部材９を固定した状態のフロントカバー内面上部を示す斜視図である。
【図１０５】図１０３の矢印Ｙ−Ｙに沿う拡大断面図である。
【発明を実施するための形態】
【００１９】
以下、本件の実施形態を説明する。
【００２０】
（外観）
図１は、本件の第１実施形態の電子機器の前面を斜めから見た外観斜視図である。また図２は、図１に示す電子機器の背面を斜めから見た外観斜視図である。さらに、図３は、図１，図２に斜視図で示す電子機器を各方向から見た図である。図３において、（Ａ）は上面図、（Ｂ）は左側面図、（Ｃ）は正面図、（Ｄ）は右側面図、（Ｅ）は背面図である。
【００２１】
この電子機器１は画像を表示する画像表示画面２１ａが前面に形成された画像表示パネル２が備えられている。この画像表示パネル２は、画像表示画面２１ａ側の前面とその裏面である背面とを有する矩形の板形状を有する。また、この画像表示パネルは、前面に画像表示画面２１ａを有する画像表示板２１とその画像表示板２１を一周に渡って取り囲んでその画像表示板２１を支持する枠体２２とを有する（図１０参照）。
【００２２】
この画像表示パネル２は、フロントカバー３とリアカバー４からなる筐体内に、画像表示画面２１ａを露出させた状態に収容されている。フロントカバー３は、画像表示パネル２の前面周縁を一周に渡って取り巻いている。このフロントカバー３は、画像表示パネル２の周縁の枠体２２を支持してその枠体に囲まれた画像表示板２１の前面の画像表示画面２１ａを露出させた枠形状のカバー部材である。このフロントカバー３は、画像表示パネル２の周縁から食み出した寸法を有し、その食み出した部分を利用して、画像表示パネル２の背面側への電子部品等の搭載およびリアカバー４のネジ止めが行なわれる。
【００２３】
またリアカバー４は、画像表示パネル２との間に内部空間を形成してその背面に沿って広がり、フロントカバー３とともにこの電子機器の外形を画定している。
【００２４】
この電子機器１は、パーソナルコンピュータの機能やテレビ受像機の機能を有し、リアカバー４側には各種のコネクタ１１やテレビアンテナのケーブル接続端子１２が覗いている。テレビアンテナのケーブルは、以下に説明する支持柱５２に形成された穴５２ａを経由してケーブル接続端子１２に接続される。また、このリアカバー４の下部には、空冷用の空気が取込まれる吸気口４２が形成され、上部には空気を排出する排気口４３が形成されている。
【００２５】
この電子機器１は、前面の画像表示画面２１ａが立設するように支持スタンド５に支持されている。この支持スタンド５は、円形状の台５１と、その台に立設した支持柱５２とを有し、この電子機器１の背面側が支持柱５２に支持されている。支持柱５２には上述した穴５２ａが形成されている。この支持柱５２は、電子機器１を、前面の画像表示画面２１ａが真っ直ぐに前方を向いた姿勢と斜め上を向いた姿勢との間で回動自在に支持している。
【００２６】
（部品実装構造）
図４，図５は、図１〜図３に示す電子機器を、支持スタンド５から取り外し、さらにリアカバーを取り外して背面側から見たときの各斜視図である。
【００２７】
ここには、リアカバー４（取り外されている）の内面に沿って広がり、この電子機器１に搭載されている各種の電子部品等を広く覆うリアシールド板６が配置されている。このリアシールド板６は、その内側に配置された電子部品等のシールドを担っている。またこのリアシールド板６の中央部分には、支持スタンド５に支持される支持部６１が設けられている。
【００２８】
図６は、図４，図５に示す状態からさらにリアシールド板を取り外した状態を示す分解斜視図である。また図７は、そのリアシールド板を取り外した内側を背面側から見た斜視図である。
【００２９】
図６に示すようにリアシールド板６は、ネジ止めにより固定されており、そのネジを取り外してリアシールド板６を取り外すと、その内側には、様々な電子部品をそれぞれ搭載した２つのホルダ７，８があらわれる。
【００３０】
それらのホルダ７，８の構造等の説明は後回しにして、ここでは先ず、この電子機器１をさらに分解することにする。
【００３１】
図８は、図６，図７に示す状態からさらに２つのホルダ７，８を取り外した状態を示した分解斜視図、図９は、それら２つのホルダ７，８を取り外した内側を背面側から見た斜視図である。２つのホルダ７，８の内側（画像表示パネル側）には、支持部材９が固定されている。この支持部材９は、画像表示パネルの上縁に沿って左右に延在する支持部９１と、画像表示パネルの背面に広く広がるシールド部９２とを有する。支持部９１は、主に２つのホルダ７，８の支持を担っており、シールド部９２は、主に、画像表示パネルとホルダ７，８上の電子部品との間のシールドを担っている。図９に示されているように、支持部９１は、シールド部９２との間に空間を空けて重なっており、その空間には画像表示パネル２を駆動するための駆動回路等（明示せず）が搭載されている。
【００３２】
図１０は、図８，図９に示す状態からさらに支持部材９を取り外した状態を示す分解斜視図である。
【００３３】
この図１０に示すように、支持部材９は、ネジ止めにより、フロントカバー３の背面に固定されている。
【００３４】
また、図１０には、画像表示パネル２の背面があらわれている。この画像表示パネル２は、前述した通り、画像表示板２１とその周囲を囲んで画像表示板２１を支持する枠体２２とを有する。画像表示板２１はその前面に画像表示画面を有する。フロントカバー３は、その背面で画像表示パネル２の枠体２２を受けて画像表示パネル２を支持し、画像表示板２１の前面（画像表示画面２１ａ）を前方に露出している（図１参照）。
【００３５】
また、図１０に示されているようにフロントカバー３は、その下部に、画像表示パネル２の下縁に沿って左右に延びる支持アーム３１を有する。この支持アーム３１は、支持部材９とともにホルダ７，８（例えば図８参照）の支持を担っている。
【００３６】
図６〜図８に戻るとともに、新たな図も合わせて参照しながら、ホルダ７，８について説明する。
【００３７】
図１１は、２つのホルダ７，８のうちの一方のホルダ７の、電子部品が搭載された状態の斜視図である。また図１２は、電子部品を取り外したときのホルダ７のみを示した斜視図である。さらに、図１３は、ホルダ７の側面の一部を示した拡大斜視図である。
【００３８】
さらに、図１４は、もう１つのホルダ８の斜視図、図１５は、そのホルダ８の図８，１４にあらわれている側の面（リアカバー側の面）を示した平面図、図１６は、図１５に示すホルダ８の、画像表示パネル側の面を示した平面図である。さらに、図１７は、支持部材の一方の側面（ホルダ８が固定される側の側面）を示した斜視図である。
【００３９】
リアシールド６の内側には、２つのホルダ７，８が画像表示パネルに沿って横に並ぶように配置され、図８に示すように、支持部材９と、フロントカバー３の下縁の支持アーム３１とに固定されている。
【００４０】
これら２つのホルダ７，８のうちの一方のホルダ７は、図８に示すように、支持部材９側に切り起こされた複数の係止片７１を有し、支持部材９には、各係止片７１に対応する位置に係止穴９３を有する。ホルダ７を支持部材９に支持させるにあたっては、各係止片７１を各係止穴９３に入り込ませるようにホルダ７を支持部材９上に置き、その後、ホルダ７を図８の右側にスライドさせ、支持部材９の、図８の右側の内壁に突き当てられる。すると各係止片７１が支持部材９の支持部９１の裏側（画像表示パネル側）に入り込んでホルダ７が支持部材９に係止される。フロントカバー３の下縁に延びる支持アーム３１側についても同様の係止構造が採用されているが、ここでは図面上にあらわれていないので説明は省略する。ホルダ７はこのようにして係止された状態でさらにネジ止めにより固定される。ここでは、ネジ止めだけでなく、上記のような係止手段を併用した取付方法を採用してネジ止め用のネジの本数を減らしている。
【００４１】
またもう一方のホルダ８も同様であり、支持部材９側に切り起こされた係止片８１と、支持アーム３１側に突出した係止突起８２を有する。また、支持部材９には係止片８１に対応した位置に係止穴９４が形成され、支持アーム３１にも、係止突起８２に対応した位置に係止穴３１１が形成されている。このホルダ８は、支持部材９および支持アーム３１上に、係止片８１が係止穴９４に入り込み、かつ係止突起８２が係止穴３１１に入り込むように置かれ、図８の右側にスライドされる。すると係止片８１が支持部材９の支持部９１の裏側（画像表示パネル側）に入り込むとともに係止突起８２が支持アーム３１の裏側に入り込んで、ホルダ８が支持部材７および支持アーム３１に係止される。ホルダ８は、このように係止された状態でさらにネジ止めにより固定される。ここでもネジ止めだけでなく、上記のようなスライドによる係止手段を併用した取付方法を採用してネジ止め用のネジの本数を減らしている。
【００４２】
このホルダ８には、支持金具８４を介してＯＤＤ（光ディスクユニット）８３が搭載されている。このＯＤＤ８３は、記憶媒体の一種である光ディスクが装填され、その光ディスクを回転駆動し、その光ディスクに情報の書込みを行ない（書込み可能な光ディスクの場合）、およびその光ディスクから情報の読出しを行なう装置である。
【００４３】
この支持金具８４には、例えば図１６に示すようにＯＤＤ８３の左右に延びた箇所に、内向きの突起８４１と、その突起８４１に隣接した位置に穴８４２が形成されている。
【００４４】
一方、フロントカバー３には、図１７に示すように、側面（図８の左側の側面）に穴３３と、その穴３３に隣接した位置にネジ穴３２が形成されている。図８を参照して説明したようにホルダ８の係止片８１および係止突起８２がそれぞれ係止穴９４および係止穴３１１に入り込んだ状態で図８の右側にスライドされる。すると、係止片８１および係止突起８２がそれぞれ支持部材９の支持部９１および支持アーム３１の裏側に入り込む。このスライドの際、フロントカバー３の側面では、ホルダ８の突起８４１がフロントカバー３の穴３３に入り込み、かつ、ホルダ８の穴８４２とフロントカバー３のネジ穴３２が連通した状態となる。これによりホルダ８が位置規制される。ホルダ８はその状態でネジ止めされる。
【００４５】
以上で、ホルダ７，８の組立方法についての説明を終了し、次に各ホルダ７，８の構造について説明する。
【００４６】
ホルダ７には、ＨＤＤ（ハードディスクドライブ）１０が搭載されている。このＨＤＤ１０は、情報が磁気的に書き込まれ保持されて読み出されるハードディスクと、そのハードディスクを回転させるモータとを内蔵し、モータでハードディスクを回転させながらハードディスクへの情報の書込みおよびハードディスクからの情報の読出しを行なう装置である。また、このホルダ７にはさらにメイン基板７８０が搭載されている。このメイン基板７８０上には、各種の電子部品のほか、ファン７８１や放熱部材７８２等からなる空冷手段が搭載されている。メイン基板７８０と放熱部材７８２とに挟まれた部分にはプログラムの実行を担うＣＰＵが組み込まれたＬＳＩ（図示せず）が搭載されている。このＣＰＵは動作に伴い発熱する発熱電子部品の１つである。ＣＰＵで発生した熱は放熱部材７８２に吸収され、その熱がファン７８１による送風により空気に伝熱し、その空気がリアカバー４に形成されている排気口４３（図２参照）から排気される。
【００４７】
図１２に示すように、ホルダ７は、金属板の、主に板金加工により作製されており、画像表示パネルに沿って広がる基部７２と、基部７２から立設して縦に延びる梁部７３とを有する。この梁部７３は、基部７２の、縦に延びる縁に形成された第１の梁７３１と、基部７２の左右方向に広がる途中位置に固定された、上下に延びる第２の梁７３２とを有する。これら２本の梁７３１，７３２に挟まれた領域には、ＨＤＤ１０（図７，図８参照）が収容されるＨＤＤ収容部７４が設けられている。このＨＤＤ収容部７４には、ここに収容されたＨＤＤ１０の冷却を助けるための複数の穴７４１ａが形成されている。この点についての詳細は後述する。
【００４８】
また、図１３に示すように、このホルダ７には、段部７５が形成されている。ここで、図９に示すように、画像表示パネルの上縁に沿って支持部材９の支持部９１が延在している。その支持部９１の裏側には画像表示パネル駆動用の回路が搭載されている。このため、この支持部材９はこの支持部９１の部分が厚くなっている。そこで、ホルダ７に段部７５を形成し、支持部９１よりも下に外れた部分を深く形成し、そこにＨＤＤ収容部７４を置くことにより、装置全体の厚みを薄く形成している。
【００４９】
第２の梁７３２には、ケーブルを通過させるための開口７３２ａ（図１２参照）が形成されている。この第２の梁７３２は、ホルダ７の、支持部材９の支持部９１の上に乗る、薄形に形成されている部分にまで延びている。その第２の梁７３２の、支持部９１の上にまで延びている部分７３２ｂは、横方向に段違いにずれた形状の梁を形成している。これは、支持部材９に搭載された画像表示パネル駆動用の回路につながるコネクタ９５（例えば図８参照）との干渉を避けるためである。このホルダ７には、上述の２本の梁７３１，７３２以外に、基部７２の周縁の折り曲げにより形成された梁７３３，７３４，７３５が形成されている。基部７２の上縁に沿って形成されている梁７３３には、基部７２と梁７３３とに跨る領域にケーブル通過用の開口部７６Ａ，７６Ｂが形成されている。これらの開口部７６Ａ，７６Ｂについての詳細は後述する。
【００５０】
このホルダ７は、このようにして梁７３１〜７３５、特に縦方向に延びる２本の梁７３１，７３２によりその強度の強化が図られている。
【００５１】
もう一方のホルダ８にも、例えば図１４に示すように縦に延びる梁８７が形成されており、ホルダ８の強度を強化している。
【００５２】
図１８は、２つのホルダ７，８が固定された状態の平面図である。本実施形態では、上述のように構成された２つのホルダ７，８を横に並べて支持部材９および支持アーム３１（図８参照）に固定しており、これらのホルダ７，８の固定により、装置全体の剛性が強化されている。
【００５３】
図１９は変形例を示す、図１８に対応する図である。
【００５４】
本実施形態ではホルダは２つに分かれていたが、この図１９に２点鎖線で示すように、ホルダ７をさらに２つに分け、分けた縁にさらに梁を形成するなどして、さらなる強度アップを図ることも可能である。
【００５５】
図２０は、本実施形態と対比される比較例の、ホルダを取り外した状態を示した分解斜視図である。
【００５６】
ここでは、本実施形態との対応関係を明示するために、本実施形態の各種要素と同一の要素には、形状の相違等があっても本実施形態において付した符号と同一の符号を使用し、さらに比較例であることを明示するために、各符号にさらに‘Ｘ’を付して示す。
【００５７】
フロントカバー３Ｘの背面に支持部材９Ｘが固定されており、その支持部材９Ｘにホルダ７Ｘがネジ止めされている。ここに示すホルダ７Ｘには、本実施形態におけるホルダ７，８と同様に各種の電子部品が搭載されるが、ここでは電子部品の図示は省略されている。上述の実施形態では、２つのホルダ７，８が横に並べられているが、この比較例の場合、ホルダ７Ｘは、１つのみであり、フロントカバー３Ｘの背面全域を覆う大面積のホルダである。
【００５８】
このような大面積のホルダ７Ｘは、板金加工等による作業の際に反りや歪みが発生し易く、本実施形態のような梁７３１〜７３５や段部７５などを高精度に作製することは困難である。
【００５９】
したがってこの比較例に示すようなホルダ７Ｘで上述の実施形態と同じ強度を確保しようとすると板厚の厚い材料を用いる必要があり、コストアップの要因となり、製品の重量が増し、また組立作業も困難性が増す結果となる。
【００６０】
上述の実施形態は、複数のホルダ７，８を作製し梁による強度アップを図り、左右に並べて固定する構造を有することから、比較的薄い板材からなるホルダ７，８であっても十分な強度を確保することができる。またそれらのホルダ７，８を固定することによって装置全体の剛性も高められる。
【００６１】
次に本件の第２実施形態について説明する。
【００６２】
以下に説明する第２実施形態を示す各図では、第１実施形態における各要素に対応する各要素に、第１実施形態における各要素に付した符号と同一の符号にさらに‘＿２’を付して示し、必要な点のみの説明にとどめる。
【００６３】
図２１は、本件の第２実施形態の電子機器を各方向から見た図である。この図２１において、（Ａ）は上面図、（Ｂ）は左側面図、（Ｃ）は正面図、（Ｄ）は右側面図、（２）は背面図である。
【００６４】
この第２実施形態の電子機器１＿２は、上述した第１実施形態の電子機器１（図１〜図３参照）と比べると、ひとまわり小型の電子機器である。
【００６５】
図２２は、図３に外形を示す第２実施形態の電子機器を支持スタンド５＿２から取り外し、さらにリアカバー４＿２を取り外して背面側斜め横から見て示したときの斜視図である。また、図２３は、図４に示す状態からさらにリアシールド板６＿２を取り外した状態を示した分解斜視図である。さらに図２４は、図２３に示す状態からさらに２つのホルダを取り外した状態を示した分解斜視図である。さらに図２５は、図２４に示す状態からさらに支持部材９＿２を取り外した状態を示す分解斜視図である。これらの図２２〜図２５は、前述の第１実施形態における、それぞれ、図４，図６，図８，図１０に対応する図である。
【００６６】
第１実施形態との特徴的な相違点は、ＨＤＤ１０＿２が縦長に置かれている点、および第２の梁７３２＿２が上下に直線的に延びている点である。この第２実施形態の場合、コネクタ９５＿２が図２３の右側に寄っていることから第２の梁７３２＿２を直線的に延ばしてもコネクタ９５＿２とは干渉しない。また、この第２の梁７３２＿２を直線的に延ばしたほうが強度の向上にさらに寄与することから、ここでは第２の梁７３２＿２を直線的に延ばしている。また、この第２実施形態の電子機器１＿２は、第１実施形態の電子機器１と比べ全体が小寸法であることから、配置スペースの関係上、ＨＤＤ１０＿２は縦長に置かれている。
【００６７】
図２４に示すように、この第２実施形態でも２つのホルダ７＿２，８＿２にそれぞれ梁が形成され、それらのホルダ７＿２，８＿２は互いに横に並んだ状態に固定されている。このように複数のホルダ７＿２，８＿２を並べる構造を採用したことにより、ホルダ７＿２，８＿２を薄い板材で形成しても十分な強度が確保されている。
【００６８】
図２６は、第２実施形態における変形例を示す、第１実施形態における図１９に対応する図である。
【００６９】
本第２実施形態でもホルダは２つに分かれていたが、この図２６に２点鎖線で示すように、ホルダ７＿２をさらに２つに分け、分けた縁にさらに梁を形成するなどして、さらなる強度アップを図ることも可能である。
【００７０】
（ケーブル保護構造）
図２７は、支持部材９（図８参照）を構成する支持部９１上に置かれたホルダ７の、上縁部分を示す斜視図である。また、図２８は、図２７に示す部分の分解斜視図である。
【００７１】
ここには、ホルダ７の梁７３３に、各アンテナホルダ１０３を介して、３つのアンテナ１０１が固定されている。各アンテナ１０１には、ケーブル１０２が接続され、梁７３３に形成された開口部７６Ａ，７６Ｂを通過しホルダ７の基部７２の上面（図１におけるリアカバー４側を向いた面）を通って延びている。
【００７２】
尚、ここには、３つのアンテナ１０１を示したが、さらに、この梁７３３と角を接するもう１つの梁７３４（図１２参照）にもアンテナ１０１を取り付けることができる（図３３，図３４参照）。これらのアンテナ１０１は、全てを取り付ける必要はなく、ここではアンテナ１０１を様々な箇所に取り付けることができることを示したものである。したがって以下では、図２７において、ケーブル１０２が接続されている１つのアンテナを中心に説明を続ける。
【００７３】
図２９は、支持部材９上に置かれたホルダ７の右上隅（図１に示す状態における左上隅）の一部を示す斜視図である。また、図３０は、図２９に示すホルダ７の外側（図１の上方側）から見て示した斜視図である。また、図３１は、ホルダ７が後述する「載置位置」にあるときの、図２９のさらに一部領域を示す拡大斜視図、図３２は、これも後述する「支持位置」にあるときの、図３１と同じ領域を示す拡大斜視図である。
【００７４】
上述したように、ホルダ７の上縁を左右に延びる梁７３３の外面には、アンテナ１０１が配置されており、このアンテナ１０１にはケーブル１０２が接続されている。このケーブル１０２は、梁７３３に形成された開口部７６Ａを通過してホルダ７の基部７２の上面（図１に示すリアカバー４側を向いた面）の上を這い、アンテナ１０１を使った無線通信を担当する電子部品（図示せず）に接続されている。
【００７５】
尚、本実施形態ではホルダ７、基部７２および梁７３３が、本件における板金部材、板状の基部および立壁部にそれぞれ対応し、ホルダ７の図２７に示された上面（図１に示すリアカバー４側を向いた面）が本件における第１面に対応する。この梁７３３（立壁部）は、板状の基部７２から第１面側に折れ曲がって立設し基部７２の端縁（ここでは上端縁）に沿って延在している。
【００７６】
ここで、この開口部７６Ａは、基部７２と梁７３３（立壁部）との境界領域に、基部７２と梁７３３（立壁部）とに跨って形成されている。すなわち、この開口部７６Ａは、基部７２の図２７〜図３０に示す上面（第１面）とその上面に対する裏面である第２面とに貫通する第１の開口領域７６１と、梁７３３（立壁部）の表裏面に貫通するとともに、その第１の開口領域７６１に繋がる第２の開口領域７６２とを有する。
【００７７】
この開口部７６Ａの基部７２側に広がる第１の開口領域７６１の直ぐ下には、このホルダ７の第２面（図２７〜図３２にあらわれている上面に対する裏面）を載せた状態で支持する、支持部材９の支持部９１（例えば図８を合わせて参照）の上面（図１のリアカバー４側の面）があらわれている。
【００７８】
すなわち、開口部７６のうちの梁７３３に形成された第２の開口領域７６２は、その第２の開口領域７６２を画定する開口縁７６２ａと、支持部９１の上面とに囲まれた開口を形成している。また、この開口縁両端部７６２ｂは、支持部９１に向かって第１の開口領域７６１内に入り込んだ形状を有する。さらに、この開口縁７６２ａは、２つの端部７６２ｂどうしを繋ぐ全域に渡って、塑性変形によるエッジ除去処理が施されている。このエッジ除去処理により、ここを通過するケーブル１０２が開口縁７６２ａに当たっても、ケーブル１０２がその開口縁７６２ａとの接触で傷づけられることが防止される。
【００７９】
この支持部材９の支持部９１（図８参照）は、本件における支持部材の一例である。すなわち、この支持部９１は、上面（第１面）およびその上面に対する裏面である第２面を有し、上面（第１面）側にホルダ７の第２面が接するようにそのホルダ７を載せてホルダ７を支持する。この支持部９１にホルダ７を組み立てるにあたっては、例えば図８に示すホルダ７の各係止片７１を支持部９１の係止穴９３に入り込ませるようにホルダ７を支持部９１上に置く。その後ホルダ７を図８の右側にスライドさせて、各係止片７１を支持部９１の裏面側（画像表示パネル側）に入り込ませてホルダ７を支持部９１に係止させる。ホルダ７は、その後、ネジ止め固定される。
【００８０】
ここでは、ホルダ７の各係止片７１を支持部材９の係止穴９３に入り込ませるようにしてホルダ７を支持部材９に載置させた位置を「載置位置」と称し、その後ホルダ７のスライドにより各係止片７１を支持部材９の支持部９１の裏面に入り込ませてホルダ７が支持部材９に係止させた位置を「支持位置」と称する。
【００８１】
ここで支持部材９の支持部９１は、図３１に示す、ホルダ７が載置位置にあるときに第１の開口領域７６１と重なる位置に、支持部９１の第１面（ホルダ７が載る側の面）と第２面（第１面に対する裏面）に通じる切欠部９１１を有する。
【００８２】
一方、ホルダ７は、載置位置にあるときの第１の開口領域７５１の、切欠部９１１に突き出た形状を有する舌片部７５３を有する。このホルダ７の基部７２には、第１の開口領域７６１に繋がる、ケーブル１０２の通過部分に窪み部７２２を有する。この窪み部７２２は、ホルダ７の第２面側の凸を伴ってそのホルダ７の第１面側が第１の開口領域７６１に向かって一段凹んだ領域である。このホルダ７の基部７２の第１面の、窪み部７２２に一段下がって繋がる縁部分７２２ａ（図３５，図３６参照）は丸みを帯びた形状となっている。このため、ケーブル１０２がこの縁部分７２２ａで傷付くことも防止される。ここで、上記の舌片部７２１は、この窪み部７２２から第１の開口領域７６１に突き出ている。この舌片部７２１は、図３１に示す載置位置では、支持部９１の切欠部９１１にあり、ホルダ７が図３２に示す支持位置にスライドすると、支持部９１の裏面（第２面）側に入り込んで、支持部９１に、その支持部９１をホルダ７の第２面に押し付ける方向の力を及ぼす。これにより、第２の開口領域７６２を画定する開口縁７６２ａの、第１の開口領域７６１内に入り込んでいる両端部７６２ｂと支持部９１との間の隙き間を十分に狭い隙き間に制御できる。このため、この隙き間にケーブル１０２が入り込んで、その端部７６２ｂのエッジで傷つくことが防止される。
【００８３】
図３３，図３４は、ホルダ７の梁７３３に形成されたもう１つの開口部７６Ｂ（図１２，図２７を参照）の構造を示した部分斜視図である。図３３は、ホルダ７が載置位置にある状態を示しており、図３４はホルダ７が支持位置までスライドした状態を示している。
【００８４】
この開口部７６Ｂの周りの構造は、上述したもう一方の開口部７６の周りの構造と同一であるため、ここでは、開口部７６の周りの各要素に付した符号と同一の符号を付し、説明を省略する。
【００８５】
ケーブル１０２を通過させる開口部７６Ａについてさらに詳細に説明する。
【００８６】
図３５は、開口部７６Ａを、ホルダ７の梁７３３の内面側から見た拡大斜視図である。また、図３６は、その開口部７６をリアカバー４（図１参照）側から見た平面図である。
【００８７】
これらの図３５，図３６には、ホルダ７が支持位置までスライドした後の状態が示されている。
【００８８】
また、図３７は、図３６の矢印Ｘ−Ｘに沿う断面図、図３８は図３６の矢印Ｙ−Ｙに沿う断面図である。さらに図３９は、図３８に示す円Ｒの部分の拡大図である。
【００８９】
ホルダ７の梁７３３に形成された第２の開口領域７６２は、開口縁７６２ａと支持部材９の支持部９１の上面（第１面）とにより開口が形成されている。ただし、この第２の開口領域７６２は、ホルダ７上では、その基部７２に形成されている第１の開口領域７６１と合わせて１つの開口部７６を形成している。この開口部７６を二分する位置での折り曲げにより梁７３３が形成され、開口部７６が第１の開口領域７６１と第２の開口領域７６２とに分かれている。
【００９０】
第１の開口領域７６２の、梁７３３に繋がる部分には、一対の逃げ部７６３が形成されて、開口縁７６２ａの両端部７６２ｂはその開口部７６Ａ内に突出した形状に形成されている。このため、その両端部７６２ｂは、折り曲げにより梁７３３を形成する際に、基部７２側の第１の開口領域７６１の中に入り込む。このホルダ７が支持位置にスライドすると舌片部７２１が支持部９１の裏面（第２面）側に入り込んで支持部９１にその支持部９１を押し上げる力を及ぼす。このため、開口縁７６２ａの両端部７６２ｂと支持部９１との間が十分に狭い隙間に保たれ、この隙間にケーブル１０２に入り込むことはなく、開口縁７６２の端部７６２ｂのエッジでケーブル１０２に傷が付くことが防止される。また、前述の通り、第２の開口領域７６２を画定する開口縁７６２ａはエッジ除去処理が施されており、さらにホルダ７の基部７２の、窪み部７２２に繋がる部分７２２ａは丸みを有する形状に形成されている。このように、これらの部分もケーブル１０２に傷を付けないように工夫されている。
【００９１】
ここで、本実施形態の説明を一旦中断し、比較例について説明する。
【００９２】
図４０は、１つの比較例を示す図である。
【００９３】
ここでは、板金部材に、開口縁７６ａＸの全周に渡り塑性変形によるエッジ除去処理を伴う穴明け加工が行われて開口部７６Ｘが形成され、その開口部７６Ｘを二分する位置で折り曲げられて基部７２Ｘと梁７３３Ｘが形成されている。
【００９４】
この場合、基部７２Ｘと梁７３３Ｘとの間の折曲げ部７６ｂＸがかなり大きな半径Ｒのわん曲となり、例えば直方体形状の電子部品を基部７２Ｘ上の、梁７３３Ｘに接する位置に配置しようとするとそのわん曲と干渉してしまい、電子部品を梁７３３Ｘから離して配置することになる。その場合、スペースの無駄が発生するおそれがあり、またその電子部品を梁７３３Ｘに支持させることができず、別の支持部材を用意するなど、部品点数の増加や構造の複雑化を招くおそれがある。また、この場合、梁７３３Ｘを、基部７２Ｘから正確な角度には折り曲げにくく、折曲げ角度のばらつきが大きくなる。このことも、部品の正確な配置を妨げる要因となる。例えば、この梁７３３Ｘに、図２７，図２８に示すようなアンテナ１０１を取り付けた場合、その取り付けたアンテナ１０１の取付け角度がばらつき、アンテナ１０１の性能を一定に保つことが難しい。
【００９５】
図４１は、もう１つの比較例を示す図である。
【００９６】
この図４１では、開口部７６Ｘが形成されている。この開口部７６Ｘは、基部７２Ｘ側の第１の開口領域７６１Ｘと梁７３３Ｘ側の第２の開口領域７６２Ｘとに跨って広がっている。第２の開口領域７６３Ｘを画定する開口縁７６２ａＸは塑性加工によるエッジ除去処理が施されている。ここでは、基部７２Ｘが載せられる支持部材９１Ｘにも、開口縁７６２ａＸの両端部７６２ｂＸの部分に各開口９１９Ｘが形成されており、両端部７６２ｂＸにそれらの開口９１９Ｘに入り込んでいる。
【００９７】
この場合、梁７３３Ｘは、基部７２Ｘから極く小さい半径で鋭く立ち上げることができ、また正確な角度に立設させることができる。したがって電子部品の配置の問題は生じない。しかしながらこの図４１の比較例の場合、基部７２Ｘに設けられた第１の開口領域７６１Ｘの縁および支持部材９１Ｘに設けられた開口９１９Ｘの縁にエッジが形成されている。このため、ここを通過するケーブルがそれらのエッジで傷付くおそれがある。
【００９８】
上述の実施形態は、梁の折曲げに起因する部品配置の問題と、通過するケーブルに傷が付くおそれがあるという問題の双方を解決している。
【００９９】
（ＨＤＤユニット固定構造）
次に、ホルダ７にＨＤＤユニットを固定する固定構造について説明する。ここで、ＨＤＤ（ハードディスクドライブ）には、情報が磁気的に書き込まれ保持されて読み出されるハードディスク（ＨＤ）と、そのＨＤを回転させるモータが内蔵されている。このＨＤＤでは、モータでＨＤを回転させながら、ＨＤへの情報の書込み、およびＨＤからの情報の読出しが行なわれる。
【０１００】
ここでは、比較例を先に説明する。
【０１０１】
図４２は、比較例としてのＨＤＤユニット固定構造を示す分解斜視図である。また図４３は、図４２に分解斜視図を示すＨＤＤユニットを組み立てた状態の平面図である。
【０１０２】
ここでは、ＨＤＤ１０Ｘは、その上面および左右の両側面を覆うＨＤＤホルダ１１１Ｘに収納されて左右両側からネジ止めされ、さらに左右の支持部材１１２Ｘ，１１３Ｘで支持されて、ホルダ７Ｘの、ＨＤＤ収容部７４Ｘに収容される。
【０１０３】
この構造の場合、ＨＤＤ１０Ｘ、ホルダ１１１Ｘ、および支持部材１１２Ｘ，１１３ＸからなるＨＤＤユニットが占める領域が、ＨＤＤ１０Ｘの周囲の、図４３に斜線を付して示す領域に広がっている。
【０１０４】
もともとＨＤＤ１０Ｘは寸法の大きな電子部品であるにもかかわらず、そのＨＤＤ１０Ｘの固定のためにそのＨＤＤ１０Ｘの周りに広いスペースを割いていては、省スペース化が実施できず、装置の大型化を招くおそれがある。
【０１０５】
本実施形態では、以下の固定構造により、ＨＤＤ１０Ｘの放熱を妨げることなく省スペース化を実施している。
【０１０６】
ここでは、図１〜図３に外形を示す第１実施形態におけるＨＤＤユニット固定構造について説明し、次いで、図２１に外形を示す実施形態におけるＨＤＤユニットと固定構造について説明する。
【０１０７】
図４４は、図１〜図３に外形を示す第１実施形態の電子機器１におけるホルダ７（図１２，図４５を合わせて参照）の、ＨＤＤ収容部７４の部分の斜視図である。
【０１０８】
このホルダ７に設けられたＨＤＤ収容部７４は、ベース部７４１と、梁７３１，７３２を有する。これらの梁７３１，７３２は、ベース部７４１の左右に立設して前後方向に延在している。これらの梁７３１，７３２は、本件にいう左右のリブの一例に相当する。また、ＨＤＤ収容部７４は、本件にいう収容部の一例に相当し、そこに収容されるＨＤＤ１０（図４５参照）は本件にいう収容対象の電子部品の一例に相当する。
【０１０９】
ベース部７４１には、そのベース部７４１の表裏面に貫通した複数の開口７４１ａを有する。これらの開口７４１ａは、空気の流れを良好にしてＨＤＤ１０の空冷を助けるためのものである。
【０１１０】
左右の梁７３１，７３２には、ＨＤＤ１０に固定されてＨＤＤ１０を支持する後述する支持板７７（例えば図４５参照）の基部７７１の板厚だけベース部７４１よりも浮いた高さ位置にベース部７４１の上に横向きに突出した複数の係止突起７４１ｂを有する。これらの係止突起７４１ｂの作用については後述する。
【０１１１】
また、このＨＤＤ収容部７４には、ベース部７４１の前方に立設して左右に延在する前壁７４２を有する。この前壁７４２にも、支持板７７（例えば図４５参照）の基部７７１の板厚によりベース部７４１よりも浮いた高さ位置にベース部７４１の上に突出した２つの係止突起７４１ｃを有する。
【０１１２】
さらに、このＨＤＤ収容部７４は、前壁７４２に連続しベース部７４１と平行に、ベース部７４１の前方に広がる台部７４３を有する。その台部７４３には、２つの切起し片７４３ａを有する。これらの切起し片７４３ａは、本件にいう案内リブの一例に相当する。また、この台部７４３には、ネジ穴７４３ｂが形成されている。
【０１１３】
図４５は、ホルダと、支持板と、ＨＤＤとを示す分解斜視図である。また図４６は、ホルダのＨＤＤ収容部に、ＨＤＤを取り外した支持板のみを収容させた状態を示す斜視図である。
【０１１４】
ＨＤＤ１０は支持板７７にネジ止めされ、ＨＤＤ１０がその支持板７７に組み立てられたＨＤＤユニットがホルダ７のＨＤＤ収容部７４に収容される。
【０１１５】
支持板７７は、ＨＤＤ１０の下面に対して広がる基部７７１と、前側の立壁部７７２と、後側の立壁部７７３と、さらに鍔部７７４とを有する。前側の立壁部７７２および後側の立壁部７７３は、基部７７１のそれぞれ前方および後方における基部７７１からの折り曲げにより形成され、ＨＤＤ１０のそれぞれ前壁１０ａ，後壁１０ｂに沿って立設している。さらに前側の立壁部７７２は、ＨＤＤ収容部７４への収容時に、ホルダ７のＨＤＤ収容部７４の前壁７４２に沿って立設する。さらに鍔部７７４は、前側の立壁部７７２から前方に折れ曲がって基部７７１と平行に広がり、ＨＤＤ１０ユニットの、ＨＤＤ収容部７４への収容時にＨＤＤ収容部７４の台部７４３に乗る。
【０１１６】
この支持板７７の基部７７１には、その基部７７１の表裏面に貫通した複数の開口７７１ａを有する。これらの開口７７１ａは、この支持板７７を含むＨＤＤユニットがＨＤＤ収容部７４に収容された際に、ＨＤＤ収容部７４のベース部７４１ａにそれぞれ連通する。
【０１１７】
また、この支持板７７の前後の立壁部７７２，７７３からは、基部７７１よりも少し浮いた位置に基部７７１の上に突き出た切起し片７７２ａ，７７３ａを有する（切起し片７７２ａについては、図４７，図４８参照）。ＨＤＤ１０は、支持板７７に支持されたとき、これらの切起し片７７３ａの存在により、ＨＤＤ１０の下面（ＨＤＤ１０の、図４５に示す上面とは反対側の面）が基部７７１から少し浮いた状態に支持される。ＨＤＤ１０の下面には、ハードディスク（ＨＤ）を回転させるためのモータの下面が露出しており、また、回路基板が広がっていて、動作時に発熱を伴う。そこでここでは、ＨＤＤ１０を少し浮かせた状態に保持し，基部７７との間に空間を空けることにより、ＨＤＤ下面の放熱の促進を図っている。
【０１１８】
また、この空間を利用して、基部７７１をＨＤＤ収容部７４の係止突起７４１ｂ（図４４参照）に係止させている。係止突起７４１ｂによる係止については以下において説明する。
【０１１９】
ＨＤＤ１０は、その下面を切起し片７７３ｂに乗せた状態で、前後の立壁部７７２，７７３に設けられた取付穴７７２ｂ，７７３ｂから差し込まれたネジによりネジ止めされる。
【０１２０】
また、支持板７７の基部７７１の左右両側には、切欠部７７１ｂが形成されている。この切欠部７７１ｂは、この支持板７７を含むＨＤＤユニットをＨＤＤ収容部７４を収納する際の、２本の梁７３１，７３２からベース部７４１の上に突出した係止突起７４１ｂとの干渉を避けるためのものである。
【０１２１】
この支持板７７を含むＨＤＤユニットは、先ず、切欠部７７１ｂが係止突起７４１ｂと向き合う位置に載置される。ここでは、ＨＤＤユニットのこの載置された位置を「載置位置」と称する。ＨＤＤユニットは、切欠部７７１ｂにより係止突起７４１ｂとの干渉を避けた載置位置で基部７７１がベース部７４１上に乗り、その後前方にスライドされる。このスライドにより、係止突起７４１ｂは、支持板７７の基部７７１の上に乗り、ＨＤＤユニットがＨＤＤ収容部７４から容易には抜け出ない状態に係止する。このようにＨＤＤユニットが前方へのスライドにより基部７７１が係止突起７４１ｂに係止されてＨＤＤユニットがＨＤＤ収容部７４内に支持された位置を、ここでは「支持位置」と称する。
【０１２２】
ＨＤＤユニットが載置位置から支持位置にスライドすると、ＨＤＤ収容部７４の前壁７４２から突出した係止突起７４１ｃも、支持板７７の基部７７１の舌部７７１ｄ（図４７，図４８参照）の上に乗り、基部７１を係止する。
【０１２３】
さらに、支持板７７の基部７７１の左右両縁には、この支持板７７が支持位置に移動したときに係止突起７４１ｂに接する位置に、絞り加工により形成されて係止突起７４１ｂ側に膨んだ膨み部７７１ｃを有する。この膨み部７７１ｃが形成されていることにより、ＨＤＤユニットが載置位置から支持位置に移動したときに支持板７７の基部７７１が係止突起７４１ｂに強固に係止される。また、支持板７７の基部７７１に設けられた開口７７１ａは、ＨＤＤユニットが載置位置から支持位置まで移動したときに、ベース部７４１の開口７４１ａと重なり、それらの開口７７１ａ，７４１ａが互いに通じた状態となる。
【０１２４】
また、前方の立壁部７７２の外壁には、図４５では分解して示されているガスケット７７９が貼付されている（図４８参照）。このガスケット７７９は、ＨＤＤユニットを載置位置から支持位置へとスライドさせる際にＨＤＤ収容部７４の前壁７４２に突き当たって収縮し、このスライドの際の衝撃がＨＤＤ１０に伝わるのを抑える役割りを担っている。また、このガスケット７７９は導電性を有し、ＨＤＤユニットのホルダ７への電気的な接地を、より強固なものとしている。尚、支持板７７の前方の立壁部７７２には、ガスケット７７９の貼付が可能な箇所が複数用意されており、必要に応じて１つ又は複数のガスケットが貼付され、前壁７７２との間に挟まれる。
【０１２５】
また、支持板７７の鍔部７７４には、ＨＤＤ収容部７４の台部７４３に設けられた２つの切起し片７４３ａがそれぞれ入り込む２つの角穴７７４ａと、１つの、ネジ止め用の取付穴７７４ｂを有する。２つの角穴７７４ａには、２つの切起し片７４３ａが入り込み、それらの切起し片７４３ａにより、ＨＤＤユニットを後述するようにして回動させながら載置位置に載せる際、およびＨＤＤユニットを載置位置から支持位置へとスライドさせる際に案内を受ける。
【０１２６】
ＨＤＤユニットを載置位置から支持位置にスライドすると、鍔部７７４に設けられた取付穴７７１ｂがＨＤＤ収容部７４の台部７４３に設けられたネジ穴７４３ｂに重なる。支持板７７は、ホルダ７に、取付穴７７１ｂを貫通しネジ穴７４３ｂに螺入したネジによりネジ止めされる。
【０１２７】
図４７は、ＨＤＤに支持板を取り付けたＨＤＤユニットを、ＨＤＤの上面側から見て示した斜視図である。また、図４８は、ＨＤＤユニットを、支持板基部側から見て示した斜視図である。
【０１２８】
支持板７７は、ＨＤＤ１０に、支持板７７の前後の立壁部７７２，７７３でネジ止めされている。支持板７７の基部７７１には、図４８に示すようにＨＤＤ１０の空冷を促進するための複数の開口７７１ａが形成されている。また、基部の左右両縁には、ＨＤＤ収容部７４への収容時にＨＤＤ収容部７４に設けられた係止突起７４１ｂ（図４４〜図４６参照）との干渉を避けるための切欠部７７１ｃが形成されている。また、基部７７１の、前側の立壁部７７２との境界部分には、前方に延びた舌部７７１ｄを有する。この舌部７７１ｄは、このＨＤＤユニットが載置位置から支持位置にスライドした際に、ＨＤＤ収容部７４の前壁７４２からベース部７７１に突出した係止突起７４１ｃ（図４４参照）に係止される。また、図４８には、ＨＤＤ１０の下面を基部７７１から離した状態に保持するための切起し片７７２ａ，７７３ａがあらわれている。さらに、この支持板７７の前方の立壁部７７２には、ガスケット７７９の貼付を受けることのできるガスケット貼付部７７２ｄが３ヵ所設けられている。ただしここでは、中央のガスケット貼付部７７２にのみガスケット７７９が貼付されている。また、前方の立壁部７７２からさらに前方に広がる鍔部７７４には、前述の通り、ＨＤＤ収容部７４の台部７４３に設けられた２つの切起し片７４３ａが入り込む２つの角穴７７４ａとが形成されている。また、この鍔部７７３には、支持位置にスライドしたときに台部７４３のネジ穴７４３ｂに連通しネジ止めされる取付穴７７４ｂが形成されている。
【０１２９】
図４９は、ＨＤＤを取り外した支持板をホルダのＨＤＤ収容部の支持位置に収容させた状態を示した平面図である。また図５０，図５１は、ＨＤＤ付きの支持板（ＨＤＤユニット）を、ホルダのＨＤＤ収容部の支持位置に収容させた状態の左側面図、および平面図である。また図５２は、図４９に示す円Ｒの部分の拡大図である。ただし、図５２（Ａ）は、支持板が載置位置に載置された状態を示し、図５２（Ｂ）は支持板が支持位置にスライドした状態を示している。
【０１３０】
また図５３は、図５０に示す円Ｒの部分の拡大図である。この図５０の円Ｒは、図４９の円Ｒと同一部分を示しており、図５３は、図５２（Ｂ）の状態の側面図をあらわしている。さらに、図５４は、図５１の矢印Ｘ−Ｘに沿う断面図であり、図５５は、図５４に示す円Ｒの部分の拡大図である。すなわち、図５５は、図４９の円Ｒ，図５０の円Ｒと同一の部分の断面をあらわしている。
【０１３１】
支持板７が載置位置にあるときは、図５２（Ａ）に示すように、その支持板７７の基部７７１の切欠部７７１ｂの中に、ホルダ７の梁７３１から突出した係止突起７４１ｂが入り込み、基部７７１と係止突起７４１ｂとの干渉を避けている。支持板７７が載置位置から支持位置にスライドすると、図５２（Ｂ），図５３，および図５５に示すように、係止突起７４１ｂは、切欠部７７１ｂとはその位置がずれ、基部７７１と干渉した基部７７１を係止する。ここで、基部７７１には、膨み部７７１ｃが形成されており、基部７７１は、係止突起７４１ｂにより強固に係止される。
【０１３２】
図５６〜図６２は、ＨＤＤユニットをＨＤＤ収容部に収容させる手順を示した図である。図５６，図５７は、ＨＤＤユニットをＨＤＤ収容部に収容させる初期の手順を示した図である。ここでは、ＨＤＤユニットが組立作業者の手で把持され、ＨＤＤユニットの前方が斜めに下がった状態で、図５７に示すように、台部７４３から切り起こされた切起し片７４３ａを支持板の鍔部７７４に形成された角穴７７４ａに入り込ませる。この切起し片７４３ａを角穴７７４ａの前方の端に寄せた状態のまま切起し片７４３ａを回動中心にしてＨＤＤユニットを図５７に示す矢印Ａ方向に回動させる。すると、このＨＤＤユニットは、ちょうど、図５８，図５９に示す載置位置に置かれる。したがって支持板７７の基部７７１の両側縁の切欠部７７１ｂ（例えば図４９参照）は、このような回動操作を行なったときも係止突起７４１ｂとの干渉を避ける寸法を有している。その後、ＨＤＤユニットを、切起し片７４３ａの案内を受けながら図５９に示す矢印Ｂの方向に図６０に示す支持位置までスライドさせる。この支持位置では、支持板の鍔部７７４に設けられた取付穴７７４ｂが台部７４３のネジ穴７４３ｂと重なり、図６０に示す状態となる。こうしておいて、図６１，図６２に示すように、この取付穴７７４ｂがネジ止めされる。
【０１３３】
図６３は、ＨＤＤ収容部に収容された状態のＨＤＤユニットの平面図である。ただしこの図６３では、ＨＤＤ１０は透明体にしてＨＤＤの文字のみ示してある。また、図６４は、図６３の矢印Ｙ１−Ｙ１に沿う断面図である。さらに図６５は、図６３の矢印Ｙ２−Ｙ２に沿う断面図である。さらに、図６６は、図６４の円Ｒの部分の拡大図、図６７は、図６５の円Ｒの部分の拡大図である。
【０１３４】
図６６に示すように、台部７４３の上に鍔部７７４が重なり、鍔部７７４の取付穴７７４ｂが台部７４３のネジ穴７４３ｂにネジ止めされている。また、この図６６には、図４８に示す３箇所のガスケット貼付部７７４ｄのうちの中央のガスケット貼付部７７２ｄが示されており、このガスケット貼付部７７２ｄにガスケット７７９が貼り付けられている。このガスケット７７９は、前壁７７２に重なった状態に示されているが、これは、ガスケット７７９を収縮する前の寸法のまま示したためであり、実際は前壁７４２に押されて収縮する。
【０１３５】
図６７には、図４８の右側のガスケット貼付部７７２ｄが示されている。図４８ではここにはガスケットは貼り付けられていないが、図６７に示すように、この支持板７７（例えば図４８参照）は、ここにもガスケット７７９を貼り付けることができる構造を有する。
【０１３６】
さらに、図６３に破線の円で示した部分にも、ガスケット７７９を貼着し得るガスケット貼付部７７２ｄを有する。
【０１３７】
ガスケット７７９は、前述した通り、ＨＤＤユニット収容時の衝撃がＨＤＤに伝わりにくくするためと、ＨＤＤユニットの接地を確実にする役割りを担っている。
【０１３８】
次に、図２１に外形を示す第２実施形態におけるＨＤＤユニット固定構造について説明する。ここでは、前述した第１実施形態における各要素と対応する要素に、第１実施形態における各要素に付した符号に‘＿２’を付して示すことで説明は基本的には省略し、第１実施形態との相違点を中心に説明する。
【０１３９】
図６８は、図２１に外形を示す第２実施形態の電子機器１＿２におけるホルダ７＿２のＨＤＤ収容部７４＿２の部分と、ＨＤＤに固定される支持板７７＿２を並べて示した斜視図である。
【０１４０】
このホルダ７＿２は、ＨＤＤ収容部７４＿２を有する。このＨＤＤ収容部７４＿２のベース部７４１＿２の両側には梁７３１＿２，７３２＿２が設けられている。また、ＨＤＤ収容部７４＿２の前方には前壁７４２＿２が形成され、さらに台部７４３＿２が続く。
【０１４１】
ベース部７４１＿２にはその表裏面に貫通した開口７４１ａ＿２が形成されている。さらに左右の梁７３１＿２，７３２＿２からはベース部７４１＿２の上に係止突起７４１ｂ＿２が横向きに張り出している。さらに、台部７４３＿２には、２つの切起し片７４３ａ＿２と１つのネジ穴７４３ｂ＿２が設けられている。
【０１４２】
また、支持板７７＿２は、ベース部７７１＿２と、立壁部７７２＿２と、鍔部７７４＿２とを有する。ベース部７７１＿２にはその表裏面に貫通する大きな開口７７１ａ＿２が形成されている。また、このベース部７７１＿２の両側縁には切欠部７７１ｂ＿２が形成されており、その切欠部７７１ｂ＿２が隣接した位置に膨み部７７１ｃ＿２が形成されている。
【０１４３】
また、このベース部７７１＿２には、ＨＤＤが載置される側に突出したＨＤＤ載置台７７１ｄ＿２が形成されており、そのＨＤＤ載置台７７１ｄ＿２には、ＨＤＤをネジ止めするための取付穴７７１ｅ＿２が形成されている。
【０１４４】
この実施形態では、前述の第１実施形態と比べＨＤＤを９０°回転させた向きに収容される。このＨＤＤは、支持板７７＿２のベース部７７１＿２に設けられたＨＤＤ載置台７７１ｄ＿２の上に載せられてその下面が固定される。このため、ＨＤＤの下面は、前述の第１実施形態の場合と同様、ベース部７７１＿２から離間した状態となる。
【０１４５】
また、この支持板７７＿２の台部７７４＿２には、２つの角穴７７４ａ＿２と１つの取付穴７７４ｂ＿２が設けられている。
【０１４６】
図６９，図７０は、ＨＤＤが取り外された状態の支持板をＨＤＤ収容部に収容させた状態を示す各斜視図である。ただし、図６９は、支持板７７＿２が載置位置にある場合、図７０は支持板７７＿２が支持位置にある場合を示している。
【０１４７】
図６９に示す載置位置では、切欠部７７１ｂと係止突起７４１ｂ＿２との位置が合っていて、基部７７１＿２は、係止突起７４１ｂ＿２と干渉することなくベース部７４１＿２上に乗っている。支持板７７＿２を図７０に示す支持位置にスライドさせると、係止突起７４１ｂ＿２は切欠部７７１ｂ＿２とは位置がずれ、支持板７７＿２の基部７７１＿２を係止する。また、このとき、鍔部７７４＿２の取付穴７７４ｂ＿２が台部７４３＿２のネジ穴７４３ｂ＿２と重なり、その状態で取付穴７７４ｂ＿２がネジ穴７４３ｂ＿２にネジ止めされる。
【０１４８】
図７１は、ＨＤＤに支持板を取り付けたＨＤＤユニットをＨＤＤの上面側から見て示した斜視図である。また図７２は、ＨＤＤユニットを支持板基部側から見て示した斜視図である。
【０１４９】
図７２には、開口７７１ａ＿２からＨＤＤ１０＿２の下面があらわれている。支持板７７＿２は、その支持板７７＿２の基部７７１＿２に設けられた、ＨＤＤ側に突出したＨＤＤ載置台７７１ｄ＿２でＨＤＤ１０＿２をネジ止めしている。このため、ＨＤＤ１０＿２の下面は、支持板７７＿２の基部７７１＿２との間に間隔を空けた状態にある。これは、前述の通り、ＨＤＤ１０＿２の空冷を促進するためである。またこの支持板７７＿２にも鍔部７７４＿２が設けられている。鍔部７７４＿２の構造は前述の第１実施形態におけるものと同様である。
【０１５０】
図７３は、ＨＤＤ１０＿２を含むＨＤＤユニットがＨＤＤ収容部の載置位置に置かれた状態を示す斜視図である。この実施形態では、ＨＤＤユニットは、ＨＤＤ収容部に前述の実施形態のように回動させながら置かれる（図５６参照）のとは異なり、ＨＤＤユニットはＨＤＤ収容部に水平のまま置かれる。
【０１５１】
図７４は、ＨＤＤユニットを図７３に示す載置位置から支持位置までスライドさせた後の状態を示す斜視図、図７５は、さらにネジ止めした後の状態の斜視図である。
【０１５２】
このスライドによる支持位置への移動およびネジ止めの構造は前述した第１実施形態の場合と同様である。
【０１５３】
図７６は、ＨＤＤを取り外した支持板をホルダのＨＤＤ収容部の支持位置に収容させた状態を示した平面図である。また図７７，図７８は、ＨＤＤ付きの支持板（ＨＤＤユニット）を、ホルダのＨＤＤ収容部の支持位置に収容させた状態の左側面図、および平面図である。また図７９は、図７６に示す円Ｒの部分の拡大図である。ただし、図７９（Ａ）は、支持板が載置位置に載置された状態を示し、図７９（Ｂ）は支持板が支持位置にスライドした状態を示している。
【０１５４】
また図８０は、図７７に示す円Ｒの部分の拡大図である。この図７７の円Ｒは、図７６の円Ｒと同一部分を示しており、図８０は、図７９（Ｂ）の状態の側面図をあらわしている。さらに、図８１は、図７８の矢印Ｘ−Ｘに沿う断面図であり、図８２は、図８１に示す円Ｒの部分の拡大図である。すなわち、図８２は、図７６の円Ｒ，図７７の円Ｒと同一の部分の断面をあらわしている。
【０１５５】
支持板７＿２が載置位置にあるときは、図７７（Ａ）に示すように、その支持板７７＿２の基部７７１＿２の切欠部７７１ｂ＿２の中に、ホルダ７＿２の梁７３１＿２から突出した係止突起７４１ｂ＿２が入り込み、基部７７１＿２と係止突起７４１ｂ＿２との干渉を避けている。支持板７７＿２が載置位置から支持位置にスライドすると、図８１（Ｂ），図８２，および図８４に示すように係止突起７４１ｂ＿２は、切欠部７７１ｂ＿２とはその位置がずれ、基部７７１＿２と干渉して基部７７１＿２を係止する。ここで、基部７７１＿２には、膨み部７７１ｃ＿２が形成されており、基部７７１＿２は、係止突起７４１ｂ＿２により強固に係止される。
【０１５６】
（画像表示パネルの構造）
次に、画像表示パネル自体の構造を説明する。
【０１５７】
図８３は、画像表示パネルの分解斜視図である。また図８４は、画像表示板上に両面粘着テープを貼着した状態を示した斜視図である。また図８５は、さらに保護パネルを置いた状態を示した斜視図である。
【０１５８】
この画像表示パネル２は、矩形の画像表示板２０と、両面粘着テープ２２と、保護パネル２３とを有する。画像表示板２０は、画像表示画面２１ａとその画像表示画面２１ａを一周に亘って取り巻く枠体２１ｂとを有する。両面粘着テープ２２は、ここでは４本からなり、枠体２１ｂの、前面側（両面粘着テープ側）を向いた前面の４つの辺にそれぞれ貼着される。各両面粘着テープ２２は、その一端部のタグ２２ａが枠体２１ｂから食み出した状態に貼着される。さらにその上には透明ガラス等からなる保護パネル２３が置かれる。保護パネル２３は、４本の両面粘着テープ２２により画像表示板２０に貼着される。
【０１５９】
図８６は、保護パネル上に光学式のタッチセンサを組み込んだ状態を示す斜視図である。
【０１６０】
この画像表示パネル２の上縁の左右両隅には、タッチセンサ用の赤外線投受光部２４が配置される。また、画像表示パネル２の左右両側縁および下縁には、画像表示パネル２の内側を向いて立設しそれぞれその縁に沿って延びる反射面２５が設けられている。ただし、画像表示パネルの上縁には反射面は設けられていない。この上縁の部分は、後述するリブ３０３（図９６，図１００）を除き、余計な反射が生じないように空けておく必要がある。
【０１６１】
赤外線投受光ユニット２４は、赤外光を出射し、その出射された赤外光はこの画像表示パネル２の前面全体を覆うようにその前面に沿って進み、反射面２５で反射する。赤外線投受光ユニット２４は、反射して戻ってきた反射赤外光を検出する。この画像表示パネル前面に指やその他の物体が接触または近接すると、反射面２５で反射した赤外光が遮られる。赤外線投受光ユニット２４は図示しない回路で処理して、指や物体の、画像表示パネル上の位置を検出する。この反射赤外光を捉えた信号を処理する回路は、画像表示パネルに背面側に固定される支持部材９（例えば図１０参照）の上部に配置されている。
【０１６２】
図８７は、両面粘着テープの構成を示した図である。図８７（Ａ）は平面図、図８７（Ｂ）は、分かり易さのため、この両面粘着テープの各構成要素を互いに離して示した側面図である。
【０１６３】
この両面粘着テープ２２は、相対的に厚くかつ相対的に伸縮性および柔軟性が高い基材２２１と、その基材２２１を挟むように配置された、相対的に薄くかつ相対的に伸縮性が低く剛性が高い、例えばＰＥＴフィルム等のフィルム２２２，２２３とを有する。フィルム２２２，２２３は、基材２２１に貼着されており、またフィルム２２２，２２３の外面は粘着性を有する。また、この両面粘着テープ２２の一端部に形成された、画像表示板２１の外に食み出させるタグ２２ａは、ＰＥＴフィルム等のフィルム２２４，２２５がフィルム２２２，２２３に貼着されることにより形成されている。タグ２２ａを構成する２枚のフィルム２２４，２２５は、いずれも、外面は非粘着性である。タグ２２ａを構成する２枚のフィルム２２４，２２５の内側の面は、それら２枚のフィルム２２４，２２５のうちの少なくとも一方が粘着性を有し、それら２枚のフィルム２２４，２２５が互いに貼着されていることが好ましい。但し２枚のフィルム２２４，２２５のいずれの内面も非粘着性であって、２枚のフィルム２２４，２２５が互いに分れた状態であっても特に差し支えない。
【０１６４】
この図８７に示すように基材２２１を挟んだ構成にすると、例えば保護パネル２３に多少の反りがあっても基材２２１がその反りを吸収するように伸縮して両面粘着テープ２２が、その長手方向に万遍無く、すなわち貼着ムラなく貼着される。
【０１６５】
また、この基部２２１は、以下に説明する、両面粘着テープ２２を取り去って画像表示板２１と保護パネル２３を分離する際にも有効に作用する。
【０１６６】
図８８は、画像表示パネルの一つの隅の部分を示した模式図である。また、図８９は、両面粘着テープ２２のタグ２２ａを引いて画像表示板２０と保護パネル２３を分離している途中の様子を示した図である。
【０１６７】
画像表示パネル２から食み出しているタグ２２ａを持って、そのタグ２２ａが形成された両面粘着テープ２２の延在方向とは交わる方向に引っ張る。すると、その両面粘着テープ２２に折れ曲がり部分２２ｂ形成され、さらに基材２２１の伸縮によりその折れ曲がり部分２２ｂにシワ２２ｃが形成され、その折れ曲がり部分２２ｂにおける、画像表示板２０と保護パネル２３との間の粘着力を弱める。これにより両面粘着テープ２２を無理なく引き剥がすことができ、画像表示板２０と保護パネル２３が無理なく、それらに大きなストレスが加わることなく、分離される。
【０１６８】
この両面粘着テープは、基部２２１のみでなく、その基部２２１よりも伸縮性が低く剛性の高いフィルム２２２，２２３で挟まれているため、かなり強く引いても両面粘着テープ２２が千切れるおそれはない。
【０１６９】
図９０は、各種の両面粘着テープを示した図である。
【０１７０】
図９０（Ａ）に示す両面粘着テープ２２ａは、相対的に厚くかつ相対的に伸縮性と柔軟性のある基材２２１ａをＰＥＴフィルム等の剛性のあるフィルム２２２ａ，２２３ａで挟んだ構造のものである。
【０１７１】
基材２２１ａを挟む２枚のフィルム２２２ａ、２２３ａは、タグ２２Ａａの部分では互いに貼着されている。２枚のフィルム２２２ａ，２２３ａの外面は粘着性を有する。タグ２２Ａａの部分の外面も粘着性を有していてもよい。あるいはこのタグ２２Ａａの部分の外面が非粘着性となるように処理されていてもよい。
【０１７２】
図９０（Ｂ）の両面粘着テープ２２Ｂは、図９０（Ａ）と同様の基材２２１ｂと、その基材２２１ｂを挟む２枚のフィルム２２２ｂ、２２３ｂを有する。タグ２２Ｂａの部分は基材２２１ｂは存在せず、２枚のフィルム２２２ｂ、２２３ｂがそのまま延びた形状となっている。２枚のフィルム２２２ｂ、２２３ｂからなるタグ２２Ｂａの部分の外面は、粘着性を有していても良く、非粘着性となるように処理されていてもよい。
【０１７３】
図９０（Ｃ）の両面粘着テープ２２Ｃは、図９０（Ａ），（Ｂ）と同様の基材２２１ｃとその基材２２１ｃを挟む２枚のフィルム２２２ｃ、２２３ｃとを有する。タグ２２Ｃａの部分も、タグ２２Ｃａ以外の部分をそのまま延長した構造となっている。このタグ２２Ｃａの部分の外面は非粘着性となるように処理されていてもよい。
【０１７４】
図９０（Ｄ）の両面粘着テープ２２Ｄは、図９０（Ｃ）の両面粘着テープ２２Ｃと同じく、タグ２２Ｄａの部分まで基材２２１ｄとその基材２２１ｄを挟む２枚のフィルム２２２ｄ、２２３ｄが延在している。ただし、このタグ２２Ｄａの部分は、その両面にさらに２枚の短いフィルム２２４ｄ，２２５ｄを貼り、これによりタグの両面を非粘着性としている。
【０１７５】
以上の図９０（Ａ）〜（Ｄ）は、基材とその基材を挟む２枚のフィルムとを有する両面粘着テープの例である。ただし、保護パネル２３は実質的に反りはなく、また両面粘着テープの粘着の強さを調整することによって、図９０（Ｅ），（Ｆ）の構造の両面粘着テープ２２Ｅ，２２Ｆを採用することも可能である。
【０１７６】
図９０（Ｅ）に示す両面粘着テープ２２Ｅは、薄いＰＥＴフィルム等からなるフィルム２２１ｅを基材とし、その両面に、やはり薄いＰＥＴフィルム等からなる、両面に粘着性が付与された２枚のフィルム２２２ｅ，２２２ｆが貼られている。タグ２２Ｅａには、基材としてのフィルム２２１ｅのみが延びている。
【０１７７】
図９０（Ｆ）の両面粘着テープ２２Ｆは、薄いＰＥＴフィルム等からなり、両面が粘着性を有する１枚のフィルム２２１ｆのみからなる。タグ２２Ｆａは非粘着処理が施されていてもよい。
【０１７８】
両面粘着テープで貼着される画像表示板２０や保護パネル２３の材質や厚さや反りの程度等にもよるが、図９０に示すような様々な両面粘着テープが使用可能である。
【０１７９】
（光学式タッチパネル搭載表示機器の補強構造）
図９１は、画像表示パネルの前面を示した平面図である。ただしここからは、両面粘着テープのタグは図示省略してある。
【０１８０】
前述した通り、画像表示パネル２の前面上縁の左右両端にはそれぞれ赤外光投受光ユニット２４が取り付けられている。また、画像表示パネル２の左右の両縁および下縁のそれぞれに沿って延在し、画像表示パネル２の内側を向いて画像表示パネル２に対し立設した反射面２５が設けられている。これらの反射面２５は、赤外線投受光ユニット２４から出射した赤外光を反射する反射面である。この反射面２５は、画像表示パネル２の上縁側には配置されていない。画像表示パネル２の上縁に沿う領域には、赤外線投受光ユニット２５から出射した赤外光を反射する反射体を置かずに空間を形成しておくことが要請されている。ただし、この上縁には、後述する、規定位置に規定高さだけ立設したリブは配置することができる。
【０１８１】
図９２，図９３は、画像表示パネル２の前面の、それぞれ左上隅、右上隅に配置された各赤外線投受光ユニットを示す平面図である。
【０１８２】
これらの赤外線投受光ユニット２４には、赤外線を投光する赤外線投光部と赤外線を受光する赤外線受光部が積み重なった構造を有する。赤外線投光部からは、画像表示パネル２の前面に沿って扇状に広がる光束の赤外線が出射される。また、赤外線受光部は、赤外線投光部から出射し左右又は下縁の反射面２５（図９１参照）で反射して戻ってきた反射赤外光をレンズ２４１を通して受光する。また赤外線受光部はさらに、画像表示パネル２の表面に指やペンやその他の物体Ｏ（図９１参照）を置いたときの、その物体Ｏで反射して戻ってきた赤外線を受光する。
【０１８３】
赤外線受光部で赤外線を受光して得た受光信号は図示しない処理回路に入力されて画像表示パネル上のその物体Ｏの位置が検出される。
【０１８４】
次に、フロントカバー等からなる、上記の構造の画像表示パネル２を支持する側の構造を説明する。
【０１８５】
図９４は、画像表示パネル２を支持した状態のフロントカバー３をその前面から見て示した図である。このフロントカバー３は、画像表示パネル２の前面周縁を一周に渡って取り巻く枠状の部材である。このフロントカバー３は、画像表示パネル２の前面をその周縁を除き露出させて画像表示パネル２を支持している。このフロントカバー３は、画像表示パネル２の周縁から食み出した寸法を有する。
【０１８６】
図９５は、図９４の矢印Ｘ−Ｘに沿う断面図である。
【０１８７】
この図９５に示すように、フロントカバー３の画像表示パネル２の上縁に沿った領域にはフロントカバー３の内面３０１と画像表示パネル２の前面との間に隙き間３０２が形成されている。
【０１８８】
図９６は、図９５の円Ｒの部分の拡大図である。フロントカバー３の内面３０１と画像表示パネル２の前面との間の隙き間３０２には、後述する補強金具３１０が見えている。フロントカバー３の内面３０１には左右の中央部分にリブ３０３が立設している。一方、補強金具３１０には、そのリブ３０３を通過させる穴３１０ａが形成されている。このリブ３０３は、その位置や高さ、長さの制限を受けて、赤外線投受光ユニット２４による検出の妨げにならずに画像表示パネル２の上縁に沿って配置することが許された、不要な光を遮るためのリブである。
【０１８９】
図９７は、図９４の矢印Ｙ−Ｙに沿う断面図である。この断面図には、画像表示パネル２の上縁隅の赤外線投受光ユニット２４と画像表示パネル２の下縁に沿う反射面２５があらわれている。
【０１９０】
図９８は、図９７の円Ｒの部分の拡大図である。
【０１９１】
この図９８に示すように、フロントカバー３は、画像表示パネル２の上縁に沿って延在する部分に、覆い板３２１を有する。この覆い板３２１は、画像表示パネル２の前面との間に隙き間３０２を空けて画像表示パネル２の前面上縁を覆って左右（図９８の紙面に垂直な方向）に広がっている。またこのフロントカバー３は、覆い板３２１の背面側において、画像表示パネル２の上端面２２１のさらに上に位置し左右（図９８の紙面に垂直な方向）に延びるアーム部３２２を有する。
【０１９２】
また、ここには、補強金具３１０があらわれている。この補強金具３１０は、この図９８にあらわれているように、第１の板部３１１と、その第１の板部３１１から折れ曲がった第２の板部３１２と、その第２の板部３１２からさらに折れ曲がった第３の板部３１３とを有する。第１の板部３１１は、アーム部３２２の背面側を向いた面に沿って広がっている。また第２の板部３１２は、アーム部３２２の、画像表示パネル２の上端面２２９側を向いた面に沿って広がっている。さらに第３の板部３１３は、覆い板３２１の、画像表示パネル２の前面側を向いた背面に沿って広がっている。この補強金具３１０は、その第１の板部３１１に設けられた取付穴３１１ｄ（図９９参照）を使ってアーム部３２２にネジ止めされている。この補強金具３１０は、上記のように折れ曲がっているため、薄い板材であっても十分な強度が保たれている。
【０１９３】
フロントカバー３は、その覆い板３２１の背面と画像表示パネル２との間に前述した隙き間３０２があり、補強金具３１０がないと、その部分に波うちや膨らみが生じ製品としての品位を下げる結果となる。ここでは、赤外線投受光ユニット２４の視野から外れた位置に、上記のように折れ曲がることにより強度が強化された補強金具３１０を取り付けたため、フロントカバー３に覆い板３２１の部分が剛性を持って安定し、製品としての品位が保たれている。
【０１９４】
図９９は、補強金具の全体を示した斜視図である。
【０１９５】
図９８を参照して説明した通り、この補強金具３１０は第１の板部３１１とその第１の板部３１１から折れ曲がった第２の板部３１２と、その第２の板部３１２からさらに折れ曲がった第３の板部３１３とを有する。この補強金具３１０は、このように折り曲げて長手方向に延びる３つの板部を有し、このため、薄板であっても十分な強度が保たれている。また、この補強金具３１０の左右の中央部には、図９６を参照して説明した、フロントカバー３の背面に立設したリブ３０３を通過させる穴３１０ａが形成されている。また、この補強金具３１０の、第１の板部３１１と平行に広がる３つの折曲部３１４ａ，３１４ｂ，３１４ｃには、フロントカバー３に対する位置決め用の３つの位置決め穴３１５ａ，３１５ｂ，３１５ｃが設けられている。これら３つの位置決め穴３１５ａ，３１５ｂ，３１５ｃのうちの中央の位置決め穴３１５ｂは円形の穴であり、左右の２つの位置決め穴３１５ａ，３１５ｃは横長の長円の穴である。これら３つの位置決め穴３１５ａ，３１５ｂ，３１５ｃには、フロントカバー３に設けられた３つの位置決めボス３０９ａ，３０９ｂ，３０９ｃ（図１００参照）がそれぞれ入り込むことにより、補強金具３１０の、フロントカバー３に対する位置決めがなされる。ここで、フロントカバー３は、樹脂のモールド品であり、製造時に寸法がばらつくおそれがある。そこで、中央の位置決め穴３１５ｂのみ円形とし、左右の位置決め穴３１５ａ，３１５ｃを長円とすることにより、フロントカバー３の寸法ばらつきを吸収している。
【０１９６】
また第１の板部３１１には、位置決め穴３１１ａと、ネジ止め用の取付穴３１１ｂと、支持部材９（図１０，図１０４参照）をネジ止めするためのネジ穴３１１ｃとの３つの穴からなる組が２ヵ所に設けられている。第１の板部３１１には、さらに２ヵ所にこの補強金具３１０をネジ止めするための取付穴３１１ｄが設けられている。
【０１９７】
図１００は、補強金具３１０を取り付けた状態のフロントカバー内面上部を示した平面図である。また図１０１は、図１００に示す状態のフロントカバー内面側を示した斜視図である。また、図１０２は、図１００に示す状態のフロントカバー内面上部の一部を示した拡大斜視図である。
【０１９８】
補強金具３１０の第１の板部３１１に２組設けられた位置決め穴３１１ａ，取付穴３１１ｂ，およびネジ穴３１１ｃのうちの位置決め穴３１１ｂには、フロントカバー３の内面のリブ３０９ｄが入り込んでいる。またネジ止め用の取付穴３１１ｂは、フロントカバー３にネジ止めされている。また２ヵ所の取付穴３１１ｄもフロントカバー３にネジ止めされている。この段階では、支持部材９をネジ止めするためのネジ穴３１１ｃはまた空いたままである。
【０１９９】
図１０３，図１０４は、さらに支持部材９を固定した状態のフロントカバー内面上部を示す、それぞれ平面図および斜視図である。さらに図１０５は、図１０３の矢印Ｙ−Ｙに沿う拡大断面図である。
【０２００】
支持部材９は、補強金具３１０を位置決めしたボス３０９ｄと同じボス３０９ｄにより位置決めされ、補強金具３１０のネジ穴３１１ｃを使って補強金具３１０にネジ止めされている。このようにして、支持部材９をフロントカバー３の同じボス３０９ｄを使ってフロントカバー９に直接に位置決めすることにより、フロントカバー３、補強金具３１０、支持部材９の順に位置決めする場合の位置決め誤差の累積を避けることができ、高精度の位置決めが可能となる。
【符号の説明】
【０２０１】
１，１＿２    電子機器
２    画像表示パネル
３，３Ｘ    フロントカバー
４，４＿２    リアカバー
５，５＿２    支持スタンド
６，６＿２    リアシールド板
７，７Ｘ，７＿２，８，８＿２，１１１Ｘ    ホルダ
９，９Ｘ、９＿２，９１Ｘ，１１２Ｘ，１１３Ｘ    支持部材
１０，１０Ｘ，１０＿２    ＨＤＤ（ハードディスクユニット）
１０ａ，７４２，７４２＿２，７７２    前壁
１０ｂ    後壁
１１，９５，９５＿２    コネクタ
１２    ケーブル接続端子
２０，２１    画像表示板
２１ａ    画像表示画面
２１ｂ，２２    枠体
２２，２２Ａ，２２Ｂ，２２Ｃ，２２Ｄ，２２Ｅ，２２Ｆ    両面粘着テープ
２２Ａａ，２２ａ，２２Ｂａ，２２Ｃａ，２２Ｄａ，２２Ｅａ，２２Ｆａ    タグ
２２ｂ    折れ曲がり部分
２２ｃ    シワ
２３    保護パネル
２４    赤外線投受光ユニット
２５    反射面
３１    支持アーム
３３，５２ａ，７６Ｘ，３１０ａ，７４１ａ，８４２    穴
３２，３１１ｃ，７４３ｂ，７４３ｂ＿２    ネジ穴
４２    吸気口
４３    排気口
５１    台
５２    支持柱
６１，９１    支持部
７１，８１    係止片
７２，７２Ｘ，２２１，７７１，７７１＿２    基部
７３    梁部
７４，７４Ｘ，７４＿２    ＨＤＤ収容部
７５    段部
７６Ａ，７６Ｂ，７６Ｘ    開口部
７６ａＸ，７６２ａ，７６２ａＸ    開口縁
７６ｂＸ    折曲げ部
７７，７７＿２    支持板
８２，７４１ｂ，７４１ｂ＿２，７４１ｃ    係止突起
８３    ＯＤＤ（光ディスクユニット）
８４    支持金具
７３１，７３１＿２，７３２＿２，７３３，７３３Ｘ，７３４，７３５    梁
９２    シールド部
９３，９４，３１１    係止穴
１０１    アンテナ
１０２    ケーブル
１０３    アンテナホルダ
１１１Ｘ    ＨＤＤホルダ
２２９    上端面
２２１    基材
２２２，２２３，２２４，２２５    フィルム
２４１    レンズ
３０１    内面
３０２    隙き間
３０３，３０９ｄ    リブ
３０９ａ，３０９ｂ，３０９ｃ    位置決めボス
３０９ｄ    ボス
３１０    補強金具
３１１    第１の板部
３１２    第２の板部
３１３    第３の板部
３１４ａ，３１４ｂ，３１４ｃ    折曲部
３２１    覆い板
３２２    アーム部
７２１，７５３    舌片部
７２２    窪み部
７２２ａ    縁部分
７３２ａ，７４１ａ，７４１ａ＿２，７７１ａ，７７１ａ＿２，９１９Ｘ    開口
７４１，７４１ａ，７４１＿２，７７１＿２    ベース部
７４３，７４３＿２，７４４，７７４＿２    台部
７４３ａ，７４３ｂ＿２，７７２ａ，７７３ａ，７７３ｂ    切起し片
７６１，７６１Ｘ，７６２，７６２Ｘ，７６３Ｘ    開口領域
７６２ｂ    端部
７７１ｂ，７７１ｂ＿２，９１１    切欠部
７７１ｃ，７７１ｃ＿２    膨み部
７７１ｄ    舌部
７７１ｄ＿２    ＨＤＤ載置台
７７２，７７２＿２，７７３    立壁部
７７２ｄ，７７４ｄ    ガスケット貼付部
７７４，７７４＿２    鍔部
７７４ａ，７７４ａ＿２，７７４ｂ＿２    角穴
７７９    ガスケット
７８０    メイン基板
７８１    ファン
７８２    放熱部材
８４１    突起
【図１】
2011081629.tif 000003
【図２】
2011081629.tif 000004
【図３】
2011081629.tif 000005
【図４】
2011081629.tif 000006
【図５】
2011081629.tif 000007
【図６】
2011081629.tif 000008
【図７】
2011081629.tif 000009
【図８】
2011081629.tif 000010
【図９】
2011081629.tif 000011
【図１０】
2011081629.tif 000012
【図１１】
2011081629.tif 000013
【図１２】
2011081629.tif 000014
【図１３】
2011081629.tif 000015
【図１４】
2011081629.tif 000016
【図１５】
2011081629.tif 000017
【図１６】
2011081629.tif 000018
【図１７】
2011081629.tif 000019
【図１８】
2011081629.tif 000020
【図１９】
2011081629.tif 000021
【図２０】
2011081629.tif 000022
【図２１】
2011081629.tif 000023
【図２２】
2011081629.tif 000024
【図２３】
2011081629.tif 000025
【図２４】
2011081629.tif 000026
【図２５】
2011081629.tif 000027
【図２６】
2011081629.tif 000028
【図２７】
2011081629.tif 000029
【図２８】
2011081629.tif 000030
【図２９】
2011081629.tif 000031
【図３０】
2011081629.tif 000032
【図３１】
2011081629.tif 000033
【図３２】
2011081629.tif 000034
【図３３】
2011081629.tif 000035
【図３４】
2011081629.tif 000036
【図３５】
2011081629.tif 000037
【図３６】
2011081629.tif 000038
【図３７】
2011081629.tif 000039
【図３８】
2011081629.tif 000040
【図３９】
2011081629.tif 000041
【図４０】
2011081629.tif 000042
【図４１】
2011081629.tif 000043
【図４２】
2011081629.tif 000044
【図４３】
2011081629.tif 000045
【図４４】
2011081629.tif 000046
【図４５】
2011081629.tif 000047
【図４６】
2011081629.tif 000048
【図４７】
2011081629.tif 000049
【図４８】
2011081629.tif 000050
【図４９】
2011081629.tif 000051
【図５０】
2011081629.tif 000052
【図５１】
2011081629.tif 000053
【図５２】
2011081629.tif 000054
【図５３】
2011081629.tif 000055
【図５４】
2011081629.tif 000056
【図５５】
2011081629.tif 000057
【図５６】
2011081629.tif 000058
【図５７】
2011081629.tif 000059
【図５８】
2011081629.tif 000060
【図５９】
2011081629.tif 000061
【図６０】
2011081629.tif 000062
【図６１】
2011081629.tif 000063
【図６２】
2011081629.tif 000064
【図６３】
2011081629.tif 000065
【図６４】
2011081629.tif 000066
【図６５】
2011081629.tif 000067
【図６６】
2011081629.tif 000068
【図６７】
2011081629.tif 000069
【図６８】
2011081629.tif 000070
【図６９】
2011081629.tif 000071
【図７０】
2011081629.tif 000072
【図７１】
2011081629.tif 000073
【図７２】
2011081629.tif 000074
【図７３】
2011081629.tif 000075
【図７４】
2011081629.tif 000076
【図７５】
2011081629.tif 000077
【図７６】
2011081629.tif 000078
【図７７】
2011081629.tif 000079
【図７８】
2011081629.tif 000080
【図７９】
2011081629.tif 000081
【図８０】
2011081629.tif 000082
【図８１】
2011081629.tif 000083
【図８２】
2011081629.tif 000084
【図８３】
2011081629.tif 000085
【図８４】
2011081629.tif 000086
【図８５】
2011081629.tif 000087
【図８６】
2011081629.tif 000088
【図８７】
2011081629.tif 000089
【図８８】
2011081629.tif 000090
【図８９】
2011081629.tif 000091
【図９０】
2011081629.tif 000092
【図９１】
2011081629.tif 000093
【図９２】
2011081629.tif 000094
【図９３】
2011081629.tif 000095
【図９４】
2011081629.tif 000096
【図９５】
2011081629.tif 000097
【図９６】
2011081629.tif 000098
【図９７】
2011081629.tif 000099
【図９８】
2011081629.tif 000100
【図９９】
2011081629.tif 000101
【図１００】
2011081629.tif 000102
【図１０１】
2011081629.tif 000103
【図１０２】
2011081629.tif 000104
【図１０３】
2011081629.tif 000105
【図１０４】
2011081629.tif 000106
【図１０５】
2011081629.tif 000107